(57)【要約】【課題】液の拡散領域が後縁部近くまで至らないようにし、また後方領域において液吸収層が変形しにくく、臀部に密着しやすい生理用ナプキンを得る。【解決手段】肌側表面２ａに、圧縮溝で囲まれた縦長の主吸収領域１０が設けられている。主吸収領域１０の後端部１０ａと後縁部１ｂとの間に距離が空いているため、経血などが主吸収領域１０内を後方へ拡散しても、比較的広い後方領域１８が経血で汚れ難く、後ろ洩れの不安を与え難い。またこの後方領域１８では外側縦圧縮溝２２，２２が形成されているため、液吸収層６が縒れにくい。【選択図】    図２
2004350908.tif 000002
【特許請求の範囲】
【請求項１】
肌側表面と着衣側表面を有し、肌側表面に与えられた液を透過させる表面シートと、着衣側表面に現れる裏面シートと、前記表面シートと裏面シートとの間に位置する液吸収層とを有する本体部、および前記本体部の縦方向中心線から左右両側に距離を空けて縦方向に延び且つ弾性収縮力を発揮して前記肌側表面から立ち上がり可能とされた防漏壁を備えた縦長の生理用ナプキンにおいて、
前記本体部の前記防漏壁で挟まれた領域に、前記表面シートと前記液吸収層とが圧縮された圧縮溝が設けられ、前記圧縮溝は、縦方向中心線から左右両側に距離を空けて縦方向に延びる縦圧縮溝と、それぞれの縦圧縮溝の後方部分の間に位置して横方向に延びる後方横圧縮溝とを有して、それぞれの縦圧縮溝と前記後方横圧縮溝とで囲まれた主吸収領域が形成されており、
前記液吸収層は、前記主吸収領域の後端部から前記本体部の後縁部までの後方領域に延び、この後方領域に、縦方向中心線から左右両側に距離を空けて縦方向に延びる外側縦圧縮溝が設けられ、この外側縦圧縮溝は、その横方向の対向間隔が前記縦圧縮溝の横方向の対向間隔よりも広く、且つ前記縦圧縮溝および前記後方横圧縮溝よりもさらに後方に延びていることを特徴とする生理用ナプキン。
【請求項２】
前記後方領域では、それぞれの外側縦圧縮溝が、縦方向中心線と平行に延びている請求項１記載の生理用ナプキン。
【請求項３】
前記防漏壁の後端は、主吸収領域の後端部と縦方向のほぼ同じ位置にあるか、または主吸収領域の後端部よりも前方に位置している請求項１または２記載の生理用ナプキン。
【請求項４】
前記後方横圧縮溝よりも後方には、それぞれの外側縦圧縮溝の間に位置する外側横圧縮溝が設けられ、前記横圧縮溝と前記外側横圧縮溝との間に、前記主吸収領域の後端部よりも後方に位置する後方拡散抑止領域が形成されており、前記外側縦圧縮溝は、後方拡散抑止領域の後端部よりもさらに後方へ延びている請求項１または２記載の生理用ナプキン。
【請求項５】
前記防漏壁の後端は、前記後方拡散抑止領域の後端部と縦方向のほぼ同じ位置にあるか、または前記後方拡散抑止領域の後端部よりも前方に位置している請求項４記載の生理用ナプキン。
【請求項６】
前記本体部は、横方向の両側に突出して下着のクロッチ布の外面に折り返されて固定される折り返しフラップ部と、前記折り返しフラップ部よりも後方に位置して横方向の両側に突出しその着衣側表面が広げられた状態で下着の内面に設置される後方フラップ部を有しており、前記外側縦圧縮溝の外側に前記後方フラップ部が存在している請求項１ないし５のいずれかに記載の生理用ナプキン。
【請求項７】
前記主吸収領域の後端部から液吸収層の後縁部までの縦方向の長さ寸法をＬ０、前記主吸収領域の後端部から前記外側縦圧縮溝の後端までの縦方向の距離をＬ１としたときに、Ｌ１／Ｌ０が２／３以上である請求項１ないし６のいずれかに記載の生理用ナプキン。
【請求項８】
前記主吸収領域の後端部から液吸収層の後縁部までの縦方向の長さ寸法が５０ｍｍ以上である請求項１ないし７のいずれかに記載の生理用ナプキン。
【発明の詳細な説明】
【０００１】
【発明の属する技術分野】
本発明は、就寝時などの着用に適した縦長の生理用ナプキンに係り、特に肌側表面に、圧縮溝で囲まれた吸収領域が形成された生理用ナプキンに関する。
【０００２】
【従来の技術】
生理中の女性が就寝時などに着用するのに適した生理用ナプキンとして、縦方向の寸法が長く、肌側表面において圧縮溝で囲まれた縦長の吸収領域が形成されたものが知られている。
【０００３】
例えば以下の特許文献１および特許文献２に記載の生理用ナプキンは、いずれも縦方向の寸法が長く、肌側表面の左右両側に縦方向に延びる防漏壁が設けられており、左右の防漏壁で挟まれた領域に、圧縮溝で囲まれた縦長の吸収領域が形成されている。前記圧縮溝は、肌側表面に現れる液透過性の表面シートおよび液吸収層が圧縮されて形成されている。
【０００４】
この種の生理用ナプキンは、圧縮溝で囲まれた吸収領域が肌側に凸状に隆起するために、この吸収領域が女性の膣口に密着しやすく、膣口から繰り返して排出される経血などを前記吸収領域で速やかに吸収しやすくなる。また、圧縮溝は表面シートと液吸収層の密度が高くなっているため、前記吸収領域に与えられた液が表面シートや液吸収層内を拡散して広がろうとしたときに、高密度の圧縮溝で前記液が引き付けられ且つ圧縮溝に沿って液が浸透していくことにより、前記吸収領域の外側への液の拡散をできる限り抑制することが可能である。
【０００５】
前記特許文献１および特許文献２に記載のものは、生理用ナプキンの本体部が縦方向に長く、圧縮溝で囲まれた吸収領域も縦長となっており、この吸収領域の後端部は生理用ナプキンの後縁部に接近した位置まで延びている。この縦長の生理用ナプキンは、前記吸収領域を縦長とすることで、吸収領域の盛り上がり部分が女性の肛門からさらに臀部の溝にかけて長い範囲に対向できるようにし、就寝時などに前記肛門から臀部の溝方向へ流れようとする経血などを前記吸収領域の後方部分で捉えやすくしようというものである。
【０００６】
【特許文献１】
特開２００１−９５８４２号
【特許文献２】
特開２００２−６５６号
【０００７】
【発明が解決しようとする課題】
しかしながら、前記特許文献１や特許文献２に記載のように、圧縮溝で囲まれた吸収領域が本体部の後縁部の近くまで延びていると、前記吸収領域内を後方へ拡散した経血などが本体部の後縁部の近くまで及ぶことになり、使用者が肌側表面を目視したときに、生理用ナプキンに多量の経血が与えられている印象が与えられ、本体部の後縁部から洩れるのではとの不安を感じやすい。
【０００８】
また、縦長の生理用ナプキンでは、下着のクロッチ部に設置される前方部分が膣口に当てられこの部分が大腿部からの圧力により膣口に向けて盛り上がるように変形させられる。一方、生理用ナプキンの後方部分は、その一部が臀部の溝内に入り込もうとするがそれ以外の広い領域は臀部の表面に当てられる。しかし、特許文献１や特許文献２に記載のように、吸収領域を囲む圧縮溝が本体部の後縁部近くまで延びていると、生理用ナプキンの後方部分の剛性が高くなりすぎて、臀部の表面の曲面に沿って三次元的な凹曲面形状に変形しずらくなる。そのため、縦方向中心線上に位置する後縁部付近が身体の肌から離れやすくなるなど、後方部分と身体の臀部との間に隙間が生じやすくなる。
【０００９】
そこで、圧縮溝で囲まれた吸収領域の後端部と、本体部の後縁部との間に距離を空けた形状にすると、主吸収領域の後方に経血が拡散し難い領域を広く確保できるようになる。しかしながら、生理用ナプキンの後方部分に圧縮溝が存在していない領域が広く形成されていると、その部分で液吸収層は自由状態であるために、就寝時での体の動きによって後方部分の吸収層が偏ろうとして変形したり、あるいは前記後方部分が縒れて生理用ナプキンに皺が形成され、肌側表面と臀部との密着性が低下したり、さらには臀部に異質感を与えるなどの問題を生じやすくなる。
【００１０】
これは、圧縮溝で囲まれた吸収領域を縦長にして、盛り上がった前記吸収領域を膣口から臀部の溝までの長い範囲において対向できる生理用ナプキンを形成した場合に、前記吸収領域よりもさらに後方に前記圧縮溝で囲まれた吸収領域が存在しない後方部分を広く形成して、さらに縦寸法の長いものにしたいという要望を阻害していることにもなる。
【００１１】
本発明は前記従来の課題を解決するものであり、圧縮溝で囲まれ吸収領域よりもさらに後方部分に、前記吸収領域を有しない領域を形成したときに、この後方部分が、縒れにくく且つ臀部に沿って変形しやすい生理用ナプキンを提供することを目的としている。
【００１２】
【課題を解決するための手段】
本発明は、肌側表面と着衣側表面を有し、肌側表面に与えられた液を透過させる表面シートと、着衣側表面に現れる裏面シートと、前記表面シートと裏面シートとの間に位置する液吸収層とを有する本体部、および前記本体部の縦方向中心線から左右両側に距離を空けて縦方向に延び且つ弾性収縮力を発揮して前記肌側表面から立ち上がり可能とされた防漏壁を備えた縦長の生理用ナプキンにおいて、
前記本体部の前記防漏壁で挟まれた領域に、前記表面シートと前記液吸収層とが圧縮された圧縮溝が設けられ、前記圧縮溝は、縦方向中心線から左右両側に距離を空けて縦方向に延びる縦圧縮溝と、それぞれの縦圧縮溝の後方部分の間に位置して横方向に延びる後方横圧縮溝とを有して、それぞれの縦圧縮溝と前記後方横圧縮溝とで囲まれた主吸収領域が形成されており、
前記液吸収層は、前記主吸収領域の後端部から前記本体部の後縁部までの後方領域に延び、この後方領域に、縦方向中心線から左右両側に距離を空けて縦方向に延びる外側縦圧縮溝が設けられ、この外側縦圧縮溝は、その横方向の対向間隔が前記縦圧縮溝の横方向の対向間隔よりも広く、且つ前記縦圧縮溝および前記後方横圧縮溝よりもさらに後方に延びていることを特徴とするものである。
【００１３】
本発明の生理用ナプキンは、圧縮溝で囲まれた主吸収領域の後端部よりも後方領域に液吸収層が延びて、主吸収領域と本体部の後縁部との間に距離が開けられている。そのため、経血などが主吸収領域の後方部分まで拡散しても、その後方に液が拡散し難い領域が残ることにより、使用者が後方への液の洩れの不安を感じにくい。しかも前記後方領域では、左右両側に間隔を広く空けて外側縦圧縮溝が存在しているため、後方領域で液吸収層が偏ったり縒れたりしにくくなる。また、間隔の広い外側縦圧縮溝の部分で折れ曲がりやすいために後方部分が臀部の曲面に沿って変形しやすくなる。
【００１４】
本発明では、前記後方領域で、それぞれの外側縦圧縮溝が、縦方向中心線と平行に延びていることが好ましい。
【００１５】
外側縦圧縮溝が平行であると、後方領域が臀部の表面に沿う凹曲面形状に変形しやすくなる。
【００１６】
また、本発明は、前記防漏壁の後端は、主吸収領域の後端部と縦方向のほぼ同じ位置にあるか、または主吸収領域の後端部よりも前方に位置していることが好ましい。
【００１７】
防漏壁の後端が主吸収領域の後端よりも前方に位置していると、前記後方領域に防漏壁の弾性収縮力が作用しなくなって、この後方領域が臀部の表面に沿う形状に自由に変形しやすくなる。
【００１８】
また、本発明は、前記後方横圧縮溝よりも後方には、それぞれの外側縦圧縮溝の間に位置する外側横圧縮溝が設けられ、前記横圧縮溝と前記外側横圧縮溝との間に、前記主吸収領域の後端部よりも後方に位置する後方拡散抑止領域が形成されており、前記外側縦圧縮溝は、後方拡散抑止領域の後端部よりもさらに後方へ延びているものとして構成できる。
【００１９】
主吸収領域の後方に圧縮溝で囲まれた後方拡散抑止領域が設けられていると、主吸収領域よりも後方への洩れの不安をさらに解消できるようになる。
【００２０】
この場合も、前記防漏壁の後端は、前記後方拡散抑止領域の後端部と縦方向のほぼ同じ位置にあるか、または前記後方拡散抑止領域の後端部よりも前方に位置していることが好ましい。
【００２１】
本発明の生理用ナプキンは、例えば、前記本体部は、横方向の両側に突出して下着のクロッチ布の外面に折り返されて固定される折り返しフラップ部と、前記折り返しフラップ部よりも後方に位置して横方向の両側に突出しその着衣側表面が広げられた状態で下着の内面に設置される後方フラップ部を有しており、前記外側縦圧縮溝の外側に前記後方フラップ部が存在しているものである。
【００２２】
この生理用ナプキンでは、主吸収領域よりも後方に位置する後方領域が後方フラップ部を有して幅広であるため、この幅広部分が自由に変形して臀部の広い範囲に密着できるようになる。
【００２３】
本発明では、好ましくは、前記主吸収領域の後端部から液吸収層の後縁部までの縦方向の長さ寸法をＬ０、前記主吸収領域の後端部から前記外側縦圧縮溝の後端までの縦方向の距離をＬ１としたときに、Ｌ１／Ｌ０が２／３以上である。
【００２４】
また、前記主吸収領域の後端部から液吸収層の後縁部までの縦方向の長さ寸法が５０ｍｍ以上であることが好ましい。
【００２５】
【発明の実施の形態】
図１は本発明の第１の実施の形態の生理用ナプキンを、前縁部を手前側に向けて示した斜視図、図２は前記生理用ナプキンを、前縁部を紙面にて上方に向けて示した平面図、図３は図２のＩＩＩ矢視の横断面図、図４は図２のＩＶ矢視の横断面図である。
【００２６】
この実施の形態の生理用ナプキン１は、肌側表面２ａおよび着衣側表面２ｂを有する縦長の本体部２と、この本体部２の肌側表面２ａから立ち上がり可能な一対の防漏壁３０，３０を有している。
【００２７】
図２は図１に示す生理用ナプキン１を湾曲させずに平坦となるように展開した平面図である。図２に示す縦方向中心線Ｏｙ−Ｏｙは、生理用ナプキン１の本体部２の前縁部１ａと後縁部１ｂの中心を横切る線であり、この生理用ナプキン１は、縦方向中心線Ｏｙ−Ｏｙに対して左右対称形状である。
【００２８】
図２に示す横方向基準線Ｏｘ−Ｏｘは、前記縦方向中心線Ｏｙ−Ｏｙと直交する。この生理用ナプキン１は、肌側表面が女性の股間部に向けられ、縦方向中心線Ｏｙ−Ｏｙと横方向基準線Ｏｘ−Ｏｘとが交叉する部分およびその周辺が、女性の膣口に対向するように着用される。また、横方向中心線Ｏｘ０−Ｏｘ０は、本体部２を縦方向に二分する線であり、縦方向中心線Ｏｙ−Ｏｙと横方向中心線Ｏｘ０−Ｏｘ０とが交叉する部分が、女性の肛門または肛門よりもやや後方に対向する。
【００２９】
図３と図４に示すように、前記本体部２の肌側表面２ａでは、前記防漏壁３０と防漏壁３０とで挟まれた領域に液透過性の表面シート３が現れ、それぞれの防漏壁３０の外側には側方シート４が現れている。この実施の形態では、前記側方シート４によって前記防漏壁３０が形成されている。また本体部２の着衣側表面２ｂには液遮断性の裏面シート５が現れている。
【００３０】
本体部２の前記防漏壁３０と防漏壁３０とで挟まれた領域では、前記表面シート３と裏面シート５との間に、液吸収層６が介在している。図２に示すように、液吸収層６はほぼ長方形状である。液吸収層６の前縁部６ａは、生理用ナプキン１の前縁部１ａよりもやや内側に位置し、液吸収層６の後縁部６ｂは、生理用ナプキン１の後縁部１ｂよりもやや内側に位置している。図３に示すように、液吸収層６の左右の両側縁部６ｃ，６ｃは、それぞれの防漏壁３０の立ち上がり基端３１よりも内側に位置している。
【００３１】
肌側表面２ａでは、防漏壁３０と防漏壁３０とで挟まれた領域に、表面シート３および液吸収層６が圧縮されて形成された圧縮溝が設けられている。図２に示すように、前記圧縮溝は、縦方向に湾曲しながら延びる縦圧縮溝１１，１１と、前方において前記縦圧縮溝１１と１１との間に位置する前方横圧縮溝１２と、後方において縦圧縮溝１１と１１とを繋ぐ後方横圧縮溝１３を有している。
【００３２】
前記縦圧縮溝１１，１１と前方横圧縮溝１２および後方横圧縮溝１３とで囲まれた領域が、縦長の主吸収領域１０となっている。この主吸収領域１０は、前方主吸収領域１０Ａと中間主吸収領域１０Ｂと後方主吸収領域１０Ｄに区分できる。前記主吸収層１０の前端部１０ｂから後端部１０ａまでの縦方向の長さ寸法Ｌｄは、１５０〜３００ｍｍである。
【００３３】
前方主吸収領域１０Ａでは、左右の縦圧縮溝１１，１１が縦方向中心線Ｏｙ−Ｏｙに凸側が向けられる曲線形状であり、横方向基準線Ｏｘ−Ｏｘにおいて縦圧縮溝１１と１１との間隔が最も狭くなっている。中間主吸収領域１０Ｂでは、縦圧縮溝１１と１１が縦方向中心線Ｏｙ−Ｏｙから離れる方向へ凸側が向けられる曲線形状であり、中間主吸収領域１０Ｂは横方向両側へ広がる形状である。また後方主吸収領域１０Ｄでは、縦圧縮溝１１と１１との間隔が、前記中間主吸収領域１０Ｂよりも狭く縦方向へ細長く形成されている。
【００３４】
図３に示すように、前記主吸収領域１０では、表面シート３と液吸収層６との間に、嵩高で液吸収層６よりも低密度の液透過層（クッション層）７が介在している。その結果、図１に示すように、前記主吸収領域１０の表面は、その周辺領域に比べて隆起した盛り上がり部を形成している。
【００３５】
図２に示すように、前方横圧縮溝１２の前方には、第１の外側横圧縮溝１４が形成されており、この第１の外側横圧縮溝１４は、左右の前記縦圧縮溝１１，１１と連続し、前方に凸側が向けられる曲線形状となっている。前記前方横圧縮溝１２と第１の外側横圧縮溝１４とで囲まれた部分が前方拡散抑止領域１５である。
【００３６】
前記後方横圧縮溝１３の後方には、第２の外側横圧縮溝１６が形成されている。縦圧縮溝１１，１１と前記後方横圧縮溝１３および第２の外側横圧縮溝１６は繋がっており、後方横圧縮溝１３と第２の外側横圧縮溝１６は、共に後方に凸側が向けられる曲線形状である。そして、前記後方横圧縮溝１３と第２の外側横圧縮溝１６とで囲まれた部分が後方拡散抑止領域１７となっている。
【００３７】
前記前方主吸収領域１０Ａの左右両側では、縦圧縮溝１１，１１の外側に間隔を空けて第１の外側縦圧縮溝２１，２１が形成されている。この第１の外側縦圧縮溝２１，２１も、縦方向中心線Ｏｙ−Ｏｙに凸側が向けられる曲線形状であり、横方向基準線Ｏｘ−Ｏｘにおいてその間隔が最短となっている。
【００３８】
後方主吸収領域１０Ｄの左右両外側では、前記縦圧縮溝１１，１１に横方向へ間隔を空けて、第２の外側縦圧縮溝２２，２２が形成されている。この第２の外側縦圧縮溝２２，２２は縦方向中心線Ｏｙ−Ｏｙとほぼ平行で縦方向に向けて延びており、その前端２２ａ，２２ａが中間主吸収領域１０Ｂと後方主吸収領域１０Ｄとの境界部に位置し、その後端２２ｂ，２２ｂが、第２の外側横圧縮溝１６よりもさらに後方に位置している。すなわち、第２の外側縦圧縮溝２２，２２は、縦圧縮溝１１，１１と液吸収層６の両側縁部６ｃ，６ｃとの間に位置して、後方主吸収領域１０Ｄのほぼ縦方向全長にその側方で対向している。
【００３９】
そして、第２の外側縦圧縮溝２２，２２の後端２２ｂ，２２ｂは、本体部２の後縁部１ｂのやや内側で、液吸収層６の後縁部６ｂよりも前方へ２０ｍｍ以上離れない範囲に位置している。
【００４０】
この生理用ナプキン１の本体部２は、前記主吸収領域１０の後端部１０ａから、本体部２の後縁部１ｂまでの領域が後方領域１８であり、この後方領域１８に前記後方拡散抑止領域１７が設けられている。前記液吸収層６は、左右の防漏壁３０と３０との間に位置して、前記後方拡散抑止領域１７の後端部１７ａよりもさらに後方へ広く延長している。後方領域１８では、主吸収領域１０の後端部１０ａから液吸収層６の後縁部６ｂまでの縦方向の距離Ｌ０が５０ｍｍ以上であり、さらに好ましくは７０ｍｍ以上である。また後方拡散抑止領域１７の後端部１７ａから液吸収層６の後縁部６ｂまでの縦方向の距離Ｌ２は３０ｍｍ以上であり、さらに好ましくは４０ｍｍ以上である。
【００４１】
前記主吸収領域１０の後端部１０ａと外側縦圧縮溝２２の後端２２ｂとの縦方向の距離をＬ１とすると、Ｌ１／Ｌ０が２／３以上で１以下であり、さらに好ましくは３／４以上である。また後方拡散抑止領域１７の後端部１７ａと外側縦圧縮溝２２の後端２２ｂとの縦方向の距離をＬ３とすると、Ｌ３／Ｌ２も２／３以上で１以下であり、好ましくは３／４以上である。
【００４２】
前記各圧縮溝は、表面シート３側から、この表面シート３と液吸収層６とを一緒に加熱して加圧することにより形成されている。各圧縮部の底部では、高密度に圧縮された高密度圧縮部とこれよりもやや密度が低い中密度圧縮部とが、圧縮部の線パターンに沿って交互に形成され、全体が窪んだ溝形状となっている。ただし前記それぞれの圧縮溝は、所定の密度に圧縮されたドット状のものが前記各圧縮溝の線パターンに沿って所定の間隔で形成されていてもよい。
【００４３】
図３と図４に示すように、前記側方シート４の一方の縁部４ａは、裏面シート５の外縁に一致している。この側方シート４は前記裏面シート５の表面に接着されて縦方向中心線Ｏｙ−Ｏｙに向かって延び、さらに折畳み頂部４ｂを介して２枚重ねに折り曲げられている。そして側方シート４の他方の縁部４ｃは、前記表面シート３の表面に重ねられ、立ち上がり基端３１と前記縁部４ｃとの間で、側方シート４が表面シート３に接着されている。
【００４４】
側方シート４が２枚重ねされた部分はホットメルト型接着剤により対向面どうしが接着されており、また前記対向面の間には複数の弾性部材３２と、同じく複数の弾性部材３３が挟まれて接着されている。それぞれの弾性部材３２と３３は、肌側表面２ａから立ち上がる防漏壁３０の長さ以上の範囲において縦方向に延びて設けられている。前記弾性部材３２と３３は、縦方向に所定の倍率で伸ばされた状態で前記側方シート４に接着されている。
【００４５】
図２に示すように、後方接合端部３６から後縁部１ｂまでの範囲Ｌｂでは、前記側方シート４の２枚重ねの部分が、さらに図４に示すように３重に折り畳まれて、互いに接着され、さらに表面シート３上に接着固定されて、重ね固定部３７が形成されている。また前方接合端部３５から前縁部１ａの範囲Ｌｃにおいても、同様に側方シート４が重ねられて肌側表面２ａにおいて表面シート３上に接着固定されて、図４と同様の重ね固定部３７が形成されている。
【００４６】
前記前方接合端部３５と後方接合端部３６は、縦方向と横方向の双方に対して斜めに延びており、この前方接合端部３５と後方接合端部３６との間において、２枚重ねとされた前記側方シート４が図３に示すように肌側表面２ａから立ち上がり可能な防漏壁３０を形成している。そして、前方接合端部３５の前縁部１ａに近い側の端が防漏壁３０の前端３０ａであり、後方接合端部３６の後縁部１ｂに近い側の端が防漏壁３０の後端３０ｂとなっている。この防漏壁３０の縦方向の長さは、前記前端３００ａから後端３０ｂまでの寸法Ｌａである。
【００４７】
すなわち、前記前端３０ａと後端３０ｂとの間には、前記弾性部材３２，３３による弾性収縮力が作用し、その結果、前端３０ａと後端３０ｂを互いに接近させる弾性力が作用して、本体部２が図１に示すように湾曲形状となり、前端３０ａと後端３０ｂとの間において防漏壁３０が肌側表面２ａから立ち上がる。
【００４８】
重ね固定部３７において側方シート４が図４に示すように３重に重ねられて接着固定されている結果、前記防漏壁３０の断面形状は、図３に示すように、立ち上がり基端３１から横方向外側に向けて上方に斜めに延びる下部傾斜部３０Ａと、前記下部傾斜部３０Ａの上端から縦方向中心線Ｏｙ−Ｏｙに向けて上方へ斜めに延びる中間傾斜部３０Ｂ、およびこの中間傾斜部３０Ｂから横方向外側に向けて上方へ斜めに延びる肌当接部３０Ｄを有している。
【００４９】
前記横方向基準線Ｏｘ−Ｏｘを中心として縦方向に所定寸法の範囲では、横方向外側へ突出する折り返しフラップ部４１が形成されている。この折り返しフラップ部４１よりも後方には、同じく横方向外側へ突出する後方フラップ部４２が形成されており、前記折り返しフラップ部４１の前方には、横方向外側へ突出する前方フラップ部４３が形成されている。この生理用ナプキン１は縦方向中心線Ｏｙ−Ｏｙに対して左右対称形状であり、左右のフラップ部の形状も対称である。
【００５０】
前記折り返しフラップ部４１の側縁４１ａは横方向外側に向けて緩やかな突曲線形状であり、縦方向中心線Ｏｙ−Ｏｙから折り返しフラップ部４１の側縁４１ａまでの半幅寸法は、横方向基準線Ｏｘ−Ｏｘの位置で最も大きい。
【００５１】
前記後方フラップ部４２は、縦方向の寸法Ｌ４の範囲で前記半幅寸法がほぼ一定であり、この範囲で、側縁４２ａは縦方向中心線Ｏｙ−Ｏｙに対して平行あるいはほぼ平行である。ここで、前記側縁４２ａがほぼ平行であるとは、前記長さＬ４の範囲において、前記半幅寸法が一定で縦方向中心線Ｏｙ−Ｏｙと平行な仮想平行線Ｌｈを設定したときに、前記側縁４２ａが前記仮想平行線Ｌｈに対して横方向に±５ｍｍの範囲で変動していることを意味する。図２に示す実施の形態では、前記側縁４２ａは、前記仮想平行線Ｌｈよりも外側に５ｍｍ以内の範囲で突出する緩やかな突曲線形状である。また、縦方向中心線Ｏｙ−Ｏｙから前記仮想平行線Ｌｈまでの半幅寸法は、前記折り返しフラップ部の半幅寸法よりも大きい。
【００５２】
この実施の形態の後方フラップ部４２は、側縁４２ａが縦方向の長さＬ４の範囲で、縦方向中心線Ｏｙ−Ｏｙと平行またはほぼ平行であるため、半幅寸法を過剰に大きくすることなく、しかも面積を広く確保できるようになっている。
【００５３】
なお、前記横方向基準線Ｏｘ−Ｏｘから、側縁４２ａの前端までの縦方向の距離Ｌ５は、８０ｍｍ以上で１５０ｍｍ以下が好ましい。
【００５４】
生理用ナプキン１の着衣側表面では、折り返しフラップ部４１に延びる裏面シート５の表面に、前方感圧接着剤層５１が設けられている。また、後方フラップ部４２に延びる裏面シート５の表面に、第１の後方感圧接着剤層５２と第２の後方感圧接着剤層５３が縦方向に間隔を空けて設けられている。さらに、左右の防漏壁３０と３０とで挟まれた部分で、裏面シート５の表面には、縦方向に延びる中央感圧接着剤層５４，５４が縦方向の帯状に延びて形成されている。
【００５５】
図２および図３と図４に示すように、折り返しフラップ部４１では、前記裏面シート５と側方シート４との間に補強シート５６が介在されて裏面シート５および側方シート４に接着固定されている。同様に、後方フラップ部４２においても、裏面シート５と側方シート４との間に補強シート５７が介在して、裏面シート５および側方シート４に接着固定されている。
【００５６】
折り返しフラップ部４１が補強シート５６で補強されていることにより、下着のクロッチ部の外側に折り返された状態で、縒れることなく確実にクロッチ部の外面に接着固定される。また、後方フラップ部４２が展開された状態で縒れることなく、下着の内面に固定されるようになる。
【００５７】
前記補強シート５６と５７は同じ材質で同じ厚さであってもよいし、異なる材質で異なる厚さに形成してもよい。特に、後方フラップ部４２に位置する補強シート５７を液吸収保持能力のあるシートで形成すると、側方シート４と裏面シート５との間を滲み出ようとする経血を前記補強シート５７で保持できる。
【００５８】
この生理用ナプキン１の裏面シート５と補強シート５６あるいは補強シート５７および側方シート４と同じ素材を重ねて同じ接着剤で接着固定したものを６５×６５ｍｍのサンプルとし、カトーテック株式会社製の「自動化純曲げ試験機：ＫＥＳＦＢ２」で２つの面のそれぞれの方向へ最大が±２．５ｃｍ−１の曲率となるように曲げたときの、幅１ｃｍ当たりの曲げ剛性は０．１〜１．５ｍＮ・ｃｍ２／ｃｍの範囲が好ましく、曲げ回復性は０．０３〜１．５ｍＮ・ｃｍ／ｃｍの範囲であることが好ましい。
【００５９】
前記曲げ剛性は、サンプルの１ｃｍ幅当たりの曲げモーメントを前記最大曲率で微分した値であり、曲げ回復性は、一方の面に向けて前記最大曲率で曲げたときの曲げモーメントと、他方の面に向けて同じく最大曲率となるように曲げたときの曲げモーメントとのヒステリシス曲線での前記曲げモーメントの差で求められる。
【００６０】
前記範囲であると、折り返しフラップ部４１と後方フラップ部４２が縒れることがなく、また硬すぎることがないため、身体に違和感を与えることがない。
【００６１】
次に生理用ナプキン１を形成する各素材の好ましい例を説明する。
表面シート３は液透過性であり、エアースルー不織布、スパンレース不織布、あるいは多数の液透過孔が形成された樹脂フィルムなどで形成できる。裏面シート５は液遮断性の樹脂フィルムであり、通気性のものなどを使用できる。
【００６２】
液吸収層６はパルプの積層体や、パルプと高吸収性ポリマーとの積層体、あるいはパルプのみまたはパルプとレーヨンなどをエアーレイド法で積層し、接着剤で繊維間を固定したエアーレイド不織布などで形成される。液透過層７は三次元骨格を有し、嵩高な不織布であり、例えばエアースルー不織布や、パルプと合成繊維をエアーレイド法で積層して接着剤で固定したエアースルー不織布などで形成される。
【００６３】
次に、側方シート４は液遮断性であり、撥水処理されているものが好ましく使用される。側方シート４は、メルトブローン不織布やスパンボンド不織布、あるいはスパンボンド不織布／メルトブローン不織布／スパンボンド不織布の積層不織布などを使用できる。
【００６４】
側方シート４は、防漏壁３０を形成し、しかも肌側表面２ａにおいて、左右の防漏壁３０の外側に現れるものであるため、肌との間である程度の摩擦力を発揮するものが好ましい。摩擦力を発揮することにより、後方フラップ部４２が肌との間で滑りにくく、後方主吸収領域１０Ｄが臀部の溝に入るように変形したときに、後方フラップ部４２が縦方向中心線Ｏｙ−Ｏｙに向かって接近するような変形が起こりにくくなる。
【００６５】
前記摩擦力を発揮する側方シートとして、エチレンαオレフィン共重合体樹脂で形成されたメルトブローン不織布が使用され、あるいは、側方シート４の表面に、タッキファイヤー成分を野座置いたゴム系ホットメルト粘着剤が塗布さらたものなどが使用される。
【００６６】
次に、補強シート５６，５７は、スパンボンド不織布、ポイントボンド不織布、メルトブローン不織布、紙材などで形成される。特に、後方フラップ部４２に位置する補強シート５７に液の吸収保持能力を発揮させるためには、この補強シート５７は、パルプシート、湿式抄紙されてクレープ加工された吸収性紙、パルプをエアレイド方式で積層して接着剤でパルプを接着したエアレイドパルプ、あるいは、パルプと熱可塑性合成繊維をエアレイド方式で積層し接着剤で繊維間を接着したエアレイド不織布などで形成される。
【００６７】
また感圧接着剤層５１，５２，５３，５４はゴム系のホットメルト型接着剤などで形成される。
【００６８】
この生理用ナプキン１は、縦方向中心線Ｏｙ−Ｏｙと横方向基準線Ｏｘ−Ｏｘとの交点付近が女性の膣の中心に一致するように着用される。その状態で、折り返しフラップ部４１を下着の脚開口部からクロッチ部の外側に折り返し、折り返しフラップ部４１，４１に設けられた前方感圧接着剤層５１，５１を下着のクロッチ部の外面に接着する。また、中央感圧接着剤層５４により生理用ナプキン１の着衣側表面２ｂの中央部分が、下着のクロッチ部から後身頃の下部までの内面に接着される。
【００６９】
さらに、後方フラップ部４２は、下着の後身頃の下部内面において展開された状態で、その着衣側表面が、第１の後方感圧接着剤層５２および第２の感圧接着剤層５３によって下着の内面に接着固定される。
【００７０】
この生理用ナプキン１は、防漏壁３０の縦方向の弾性収縮力によって、図１に示すように、肌側表面２ａが窪むように変形し、防漏壁３０が肌側表面２ａから立ち上がるように変形する。
【００７１】
着用状態では、前方主吸収領域１０Ａの縦方向での中央部分、すなわち縦方向中心線Ｏｙ−Ｏｙと横方向中心線Ｏｘ−Ｏｘとの交叉部分およびその周辺が女性の膣口に対向する。下着のクロッチ部の内側に設置される前方主吸収領域１０Ａでは、大腿部からの圧力が左右から作用するため、前方主吸収領域１０Ａは身体に向けて盛り上がるように変形しやすく、前方主吸収領域１０Ａが膣口に密着しやすい。
【００７２】
また、前方主吸収領域１０Ａと中間主吸収領域１０Ｂとの中間部分が会陰部に対向し、中間主吸収領域１０Ｂの前方部分が肛門に対向する。そして中間主吸収領域１０Ｂから後方主吸収領域１０Ｄにかけて、肛門から臀部の溝に沿うようになり、後方主吸収領域１０Ｄの後方部分、すなわち主吸収領域１０の後端部１０ａよりも前方に５〜２０ｍｍ程度の範囲が尾てい骨に対向する。
【００７３】
中間主吸収領域１０Ｂから後方主吸収領域１０Ｄは、下着の緊迫力により臀部の溝内に入り込むように変形しようとする。また、後方主吸収領域１０Ｄの両側に広がる前記後方フラップ部４２，４２および主吸収領域１０の後端部１０ｂよりもさらに後方に位置する後方領域１８は、臀部の表面に倣うようにして凹曲面形状に変形しようとする。
【００７４】
ここで、前記後方領域１８は、後方横圧縮溝１３の後方に５０ｍｍ以上で好ましくは７０ｍｍ以上の長さで展開し、さらに第２の外側横圧縮溝１６よりも後方の３０ｍｍ以上の範囲で好ましくは５０ｍｍ以上の範囲には、縦方向中心線Ｏｙ−Ｏｙの近くに、縦圧縮溝１１，１１や横圧縮溝１３または第２の外側横圧縮溝１６が存在していない。そのため、後方領域１８は、臀部の表面の曲面に倣うように変形しやすい。
【００７５】
また、縦方向中心線Ｏｙ−Ｏｙから左右に離れた位置で、縦方向に平行に延びる第２の外側縦圧縮溝２２，２２が存在しているため、後方領域１８ではこの第２の外側縦圧縮溝２２，２２が可撓軸となって横方向に向けて凹状に変形しやすくなっている。よって、後方領域１８は、左右の後方フラップ部４２から中央の液吸収層６が存在する領域にかけて、臀部の表面に密着しやすい。後方領域１８と臀部の表面との間に隙間が形成されにくいことにより、後方への液洩れを防止しやすくなる。
【００７６】
また、液吸収層６の両側縁部６ｃ，６ｃよりも外側で、防漏壁３０，３０が立ち上がるため、本体部２の肌側表面２ａと身体との間に隙間が形成された場合でも、前記防漏壁３０がこの隙間に介在するようになり、この防漏壁３０によって側方への液の流れを遮断できる。この防漏壁３０は縦方向への弾性収縮力を発揮するが、防漏壁３０の後端３０ｂは、主吸収領域１０の後端部１０ａとほぼ同じ位置にあるため、前記後方領域１８に前記弾性収縮力がほとんど作用することがない。よって前記後方領域１８は前記弾性収縮力の影響を受けることなく、臀部の表面に沿って凹曲面形状に変形できるようになる。
【００７７】
また、前記後方領域１８において広い面積で展開している液吸収層６は、表面シート３と裏面シート５との間に挟まれて接着固定されているのみならず、前記第２の外側縦圧縮溝２２，２２によって表面シート３と一体化されている。したがって、就寝時の身体の動きなどによって後方領域１８の液吸収層６を偏らせようとする力が作用したり、または皺を寄せようとする力などが作用しても、液吸収層６が展開した形状を維持しやすい。よって後方領域１８の液吸収層６が存在してる部分が臀部にしっかり密着し、また臀部に異物感を与え難くなる。
【００７８】
膣口から排出される経血などは主に前方主吸収領域１０Ａにおいて、表面シート３を透過し液透過層７を透過して液吸収層６に吸収される。表面シート３または液吸収層６の内部で周囲に拡散しようとする経血などは、主吸収領域１０を囲んでいる高密度な圧縮溝に引き付けられ、且つ圧縮溝に沿って浸透しようとするため、主吸収領域１０を越えてそれよりも外側に液が拡散しにくい。
【００７９】
前方主吸収領域１０Ａに与えられた経血などは、後方主吸収領域１０Ｄまで拡散していくことがある。また身体の肛門から臀部の溝へ流れようとする経血は、中間主吸収領域１０Ｂや後方主吸収領域１０Ｄにおいて表面シート３と液透過層７を通過して液吸収層６に吸収される。しかし、後方主吸収領域１０Ｄは、縦圧縮溝１１，１１および後方横圧縮溝１３で囲まれているため、この経血がさらに後方に位置する後方領域１８まで浸透しにくい。
【００８０】
したがって、経血などが後方主吸収領域１０Ｄにおいて拡散しておりこの経血が表面シート３を透過して目視されたとしても、主吸収領域１０の後端部１０ａと液吸収層６の後端部６ｂとの間には５０ｍｍ以上の距離が存在し、この後方領域１８では白色の液吸収層６が表面シート３を透過して目視できるため、使用者に、過剰な経血が与えられているとの印象や、経血が後方へ洩れるのではという不安を与え難い。
【００８１】
また、この実施の形態の生理用ナプキン１では、主吸収領域１０の後端部１０ａよりもさらに後方に、圧縮溝で囲まれた後方拡散抑止領域１７が存在している。したがって、身体を伝わるなどして主吸収領域１０の後端部１０ａを越えた部分に経血などが与えられても、この経血が後方拡散抑止領域１７内に留められ、さらに後方領域に向けて液が拡散しにくい。
【００８２】
図５は本発明の第２の実施の形態の生理用ナプキン１Ａを示す平面図である。この生理用ナプキン１Ａは、図２に示す生理用ナプキン１とほとんどの構造が同じであり、相違しているのは肌側表面２ａに設けられた圧縮溝の形状の一部のみである。
【００８３】
相違部分のみを説明すると、図５では、後方横圧縮溝１３の後方に位置している第２の外側横圧縮溝１６Ａが、その両側に位置している第２の外側縦圧縮溝２２Ａ，２２Ａとを繋ぐように形成され、後方拡散抑止領域１７Ａが、後方横圧縮溝１３と第２の外側横圧縮溝１６Ａとの間、および縦圧縮溝１１と第２の外側縦圧縮溝２２との間までＵ字形状のスペースとなるように延びているだけである。その他の構造および寸法のこの好ましい範囲、ならびに寸法の好ましい関係等は、生理用ナプキン１と同じである。
【００８４】
【発明の効果】
以上のように本発明では、圧縮溝で囲まれた主吸収領域が本体部の後縁部から離れた位置にあるため、経血などが後縁部の近くまで拡散することがなく、目視したときの不安を生じ難い。しかも後方領域では液吸収層を圧縮する外側縦圧縮溝が形成されているため、後方領域において液吸収層が変形しにくい。
【図面の簡単な説明】
【図１】本発明の第１の実施の形態の生理用ナプキンを示す斜視図、
【図２】第１の実施の形態の生理用ナプキンの平面図、
【図３】図２のＩＩＩ線矢視の部分断面図、
【図４】図２のＩＶ線矢視の部分断面図、
【図５】本発明の第２の実施の形態の生理用ナプキンを示す斜視図、
【符号の説明】
１，１Ａ  生理用ナプキン
２  本体部
２ａ  肌側表面
２ｂ  着衣側表面
３  表面シート
４  側方シート
５  裏面シート
６  液吸収層
７  液透過層
１０  主吸収領域
１０Ａ  前方主吸収領域
１０Ｂ  中間主吸収領域
１０Ｄ  後方主吸収領域
１０ａ  主吸収領域の後端
１１  縦圧縮溝
１２  前方横圧縮溝
１３  後方横圧縮溝
１４  第１の外側横圧縮溝
１５  前方拡散抑止領域
１６  第２の外側横圧縮溝
１７  後方拡散抑止領域
２１  第１の外側縦圧縮溝
２２  第２の外側縦圧縮溝
３０  防漏壁
３０ａ  防漏壁の前端
３０ｂ  防漏壁の後端
４１  折り返しフラップ部
４２  後方フラップ部
【図１】
2004350908.tif 000003
【図２】
2004350908.tif 000004
【図３】
2004350908.tif 000005
【図４】
2004350908.tif 000006
【図５】
2004350908.tif 000007